(57)【要約】【課題】簡単な構成で容易に画像の一部を選択することができる画像処理装置および画像処理プログラムを提供する。【解決手段】図３（ａ）は、長方形の表示画面４１が、長辺を２つに分割する分割線（一点鎖線）で２つの領域に分割され、左側のトリミング範囲指定領域に画像の１ページが表示される。この実施形態では、ファクシミリにより受信したデータの中から印刷する所望の部分だけを印刷する場合を例とし、図３（ａ）に示す例では、ファクシミリにより１０ページのイメージデータを受信し、３ページ目をトリミング範囲指定領域に表示している。トリミング範囲指定領域において、トリミング範囲が指定されると、その指定された範囲の画像が、右側のトリミング範囲確認領域に表示される。【選択図】図３
2007300379.tif 000002
【特許請求の範囲】
【請求項１】
複数のキーを備えたキー操作部と、
矩形の表示画面と、
画像データを記憶する記憶手段と、
その記憶手段に記憶されている画像データから所定量の画像データを抽出し、その抽出した画像データに基づいて抽出画像を前記表示画面に表示する抽出画像表示手段と、
前記矩形の表示画面における対向する２辺の一方側を上、他方側を下とした場合に、前記キー操作部からのキー入力に基づいて、前記抽出画像表示手段により表示されている抽出画像に対して範囲指定を行うために、その上端と下端とを指定する範囲指定手段と、
その範囲指定手段により指定された上端と下端とにより挟まれた範囲の画像データを選択画像データとして選択する選択手段と、
その選択手段により選択された前記選択画像データに基づく選択画像を前記抽出画像の表示よりも拡大し、前記表示画面に表示する拡大画像表示手段とを備えていることを特徴とする画像処理装置。
【請求項２】
前記抽出画像表示手段は、矩形の前記表示画面の長辺を分割した複数の領域の一の領域に抽出画像を表示し、前記拡大画像表示手段は、前記複数の領域の他の領域に選択画像を表示することを特徴とする請求項１記載の画像処理装置。
【請求項３】
前記表示画面に前記抽出画像表示手段により抽出画像を表示するとともに前記拡大画像表示手段により選択画像を表示する分割表示モードと、前記拡大画像表示手段により選択画像のみを表示する拡大表示モードとを切り替えるモード切替手段を備えていることを特徴とする請求項１または２記載の画像処理装置。
【請求項４】
前記拡大画像表示手段は、前記範囲指定手段により範囲指定され、前記選択手段により選択された選択画像データに基づく選択画像の一方の幅が前記表示画面に表示される領域の一方の幅に一致するように拡大して表示することを特徴とする請求項１から３のいずれかに記載の画像処理装置。
【請求項５】
前記拡大画像表示手段は、前記範囲指定手段により範囲指定され、前記選択手段により選択された選択画像データに基づく選択画像の一方の幅が前記表示画面に表示される表示領域の一方の幅に一致するように拡大した場合に、選択画像の他方の幅が表示領域の他方の幅より大きい場合は、選択画像の他方の幅を表示領域の他方の幅に一致するように拡大して表示することを特徴とする請求項１から３のいずれかに記載の画像処理装置。
【請求項６】
前記拡大画像表示手段により表示されている選択画像の一部が前記表示領域に表示されない場合は、選択画像をスクロールするスクロール手段を備えていることを特徴とする請求項１から４のいずれかに記載の画像処理装置。
【請求項７】
前記範囲指定手段は、前記抽出画像表示手段により表示されている抽出画像において、範囲の上端が指定された場合は、表示画面に表示されている抽出画像の下端を範囲の下端とすることを特徴とする請求項１から６のいずれかに記載の画像処理装置。
【請求項８】
前記範囲指定手段は、前記抽出画像表示手段により表示されている抽出画像において、範囲の下端が指定された場合は、表示画面に表示されている抽出画像の上端を範囲の上端とすることを特徴とする請求項１から６のいずれかに記載の画像処理装置。
【請求項９】
前記拡大画像表示手段は、拡大して表示されている選択画像において、上端、または、下端を再設定する再設定手段を備え、その再設定手段により再設定された上端、または下端により新たに挟まれた範囲の画像データに基づいて、選択画像を再表示することを特徴とする請求項１から８のいずれかに記載の画像処理装置。
【請求項１０】
前記キー操作部は、前記抽出画像表示手段により表示された抽出画像の上下方向の位置を指定するカーソルキーと、
そのカーソルキーにより指定された位置を確定する決定キーとを備え、
前記範囲指定手段は、前記決定キーが操作された場合に前記カーソルキーにより指定された位置を上端または下端の一方として設定し、次に前記カーソルキーにより位置が変更されて決定キーが操作された場合に、先に設定された方とは異なる他方を設定することを特徴とする請求項１から９のいずれか記載の画像処理装置。
【請求項１１】
前記キー操作部は、表示倍率を設定する表示倍率設定キーを備え、
前記拡大画像表示手段は、前記表示倍率設定キーにより設定された表示倍率で選択画像を拡大して表示することを特徴とする請求項１から１０のいずれか記載の画像処理装置。
【請求項１２】
前記拡大画像表示手段は、既に選択画像データに基づく選択画像を前記表示部に表示している場合は、その表示している選択画像に連続して、次に前記範囲指定手段により範囲指定され、前記選択手段により選択される選択画像データに基づく選択画像を表示することを特徴とする請求項１から１１のいずれかに記載の画像処理装置。
【請求項１３】
前記選択手段により選択された選択画像データを記憶する編集画像記憶手段と、
その編集画像記憶手段に記憶された画像データを所定の出力先へ出力する出力手段とを備え、
前記編集画像記憶手段は、前記選択手段により選択された選択画像データを既に記憶している場合は、先に記憶している選択画像データに連続して、次に前記選択手段により選択される選択画像データを記憶することを特徴とする請求項１から１２のいずれかに記載の画像処理装置。
【請求項１４】
複数のキーを備えたキー操作部と、矩形の表示画面と、画像データを記憶する記憶手段とを備えた画像処理装置により実行される画像処理プログラムにおいて、
前記記憶手段に記憶されている画像データから所定量の画像データを抽出し、その抽出した画像データに基づいて抽出画像を前記表示画面に表示する抽出画像表示ステップと、
前記矩形の表示画面における対向する２辺の一方側を上、他方側を下とした場合に、前記キー操作部からのキー入力に基づいて、前記抽出画像表示ステップにより表示されている抽出画像に対して範囲指定を行うために、その上端と下端とを指定する範囲指定ステップと、
その範囲指定ステップにより指定された上端と下端とにより挟まれた範囲の画像データを選択画像データとして選択する選択ステップと、
その選択ステップにより選択された前記選択画像データに基づく選択画像を前記抽出画像の表示よりも拡大し、前記表示画面に表示する拡大画像表示ステップとを備えていることを特徴とする画像処理プログラム。
【発明の詳細な説明】
【技術分野】
【０００１】
本発明は、画像処理装置および画像処理プログラムであって、特に簡単な構成で容易に画像の一部を選択することができる画像処理装置および画像処理プログラムに関する。
【背景技術】
【０００２】
画像情報を所定の記録媒体に印刷する画像処理装置や、画像情報を通信回線を介してファクシミリ送信する画像処理装置が知られている。
【０００３】
実開平５−６３１６０号公報（特許文献１）には、ファクシミリ受信した原稿１ページ分を表示部に縮小表示し、その縮小表示の一部の範囲をマウスを使用して指定し、拡大表示することが開示されている。
【特許文献１】実開平５−６３１６０号公報
【発明の開示】
【発明が解決しようとする課題】
【０００４】
しかしながら、特許文献１に記載された考案では、縮小表示された画像に対して領域指定を行う場合に、マウスを用いて領域を指定しているがマウスが備えられていないファクシミリ装置や印刷装置といった画像処理装置では、領域を指定することができないという問題点があった。
【０００５】
本発明は、上記問題点を解決するためになされたものであり、簡単な構成で容易に画像の一部を選択することができる画像処理装置および画像処理プログラムを提供することを目的としている。
【課題を解決するための手段】
【０００６】
この目的を達成するために、本発明の請求項１記載の画像処理装置は、複数のキーを備えたキー操作部と、矩形の表示画面と、画像データを記憶する記憶手段と、その記憶手段に記憶されている画像データから所定量の画像データを抽出し、その抽出した画像データに基づいて抽出画像を前記表示画面に表示する抽出画像表示手段と、前記矩形の表示画面における対向する２辺の一方側を上、他方側を下とした場合に、前記キー操作部からのキー入力に基づいて、前記抽出画像表示手段により表示されている抽出画像に対して範囲指定を行うために、その上端と下端とを指定する範囲指定手段と、その範囲指定手段により指定された上端と下端とにより挟まれた範囲の画像データを選択画像データとして選択する選択手段と、その選択手段により選択された前記選択画像データに基づく選択画像を前記抽出画像の表示よりも拡大し、前記表示画面に表示する拡大画像表示手段とを備えている。
【０００７】
請求項２記載の画像処理装置は、請求項１記載の画像処理装置において、前記抽出画像表示手段は、矩形の前記表示画面の長辺を分割した複数の領域の一の領域に抽出画像を表示し、前記拡大画像表示手段は、前記複数の領域の他の領域に選択画像を表示する。
【０００８】
請求項３記載の画像処理装置は、請求項１または２記載の画像処理装置において、前記表示画面に前記抽出画像表示手段により抽出画像を表示するとともに前記拡大画像表示手段により選択画像を表示する分割表示モードと、前記拡大画像表示手段により選択画像のみを表示する拡大表示モードとを切り替えるモード切替手段を備えている。
【０００９】
請求項４記載の画像処理装置は、請求項１から３のいずれかに記載の画像処理装置において、前記拡大画像表示手段は、前記範囲指定手段により範囲指定され、前記選択手段により選択された選択画像データに基づく選択画像の一方の幅が前記表示画面に表示される領域の一方の幅に一致するように拡大して表示する。
【００１０】
請求項５記載の画像処理装置は、請求項１から３のいずれかに記載の画像処理装置において、前記拡大画像表示手段は、前記範囲指定手段により範囲指定され、前記選択手段により選択された選択画像データに基づく選択画像の一方の幅が前記表示画面に表示される表示領域の一方の幅に一致するように拡大した場合に、選択画像の他方の幅が表示領域の他方の幅より大きい場合は、選択画像の他方の幅を表示領域の他方の幅に一致するように拡大して表示する。
【００１１】
請求項６記載の画像処理装置は、請求項１から４のいずれかに記載の画像処理装置において、前記拡大画像表示手段により拡大された選択画像の一部が前記表示領域に表示されない場合は、選択画像をスクロールするスクロール手段を備えている。
【００１２】
請求項７記載の画像処理装置は、請求項１から６のいずれかに記載の画像処理装置において、前記範囲指定手段は、前記抽出画像表示手段により表示されている抽出画像において、範囲の上端が指定された場合は、表示画面に表示されている抽出画像の下端を範囲の下端とする。
【００１３】
請求項８記載の画像処理装置は、請求項１から７のいずれかに記載の画像処理装置において、前記範囲指定手段は、前記抽出画像表示手段により表示されている抽出画像において、範囲の下端が指定された場合は、表示画面に表示されている抽出画像の上端を範囲の上端とする。
【００１４】
請求項９記載の画像処理装置は、請求項１から８のいずれかに記載の画像処理装置において、前記拡大画像表示手段は、拡大して表示されている選択画像において、上端、または、下端を再設定する再設定手段を備え、その再設定手段により再設定された上端、または下端により新たに挟まれた範囲の画像データに基づいて、選択画像を再表示する。
【００１５】
請求項１０記載の画像処理装置は、請求項１から９のいずれかに記載の画像処理装置において、前記キー操作部は、前記抽出画像表示手段により表示された抽出画像の上下方向の位置を指定するカーソルキーと、そのカーソルキーにより指定された位置を確定する決定キーとを備え、前記範囲指定手段は、前記決定キーが操作された場合に前記カーソルキーにより指定された位置を上端または下端の一方として設定し、次に前記カーソルキーにより位置が変更されて決定キーが操作された場合に、先に設定された方とは異なる他方を設定する。
【００１６】
請求項１１記載の画像処理装置は、請求項１から１０のいずれかに記載の画像処理装置において、前記キー操作部は、表示倍率を設定する表示倍率設定キーを備え、前記拡大画像表示手段は、前記表示倍率設定キーにより設定された表示倍率で選択画像を拡大して表示する。
【００１７】
請求項１２記載の画像処理装置は、請求項１から１１のいずれかに記載の画像処理装置において、前記拡大画像表示手段は、既に選択画像データに基づく選択画像を前記表示部に表示している場合は、その表示している選択画像に連続して、次に前記範囲指定手段により範囲指定され、前記選択手段により選択された選択画像データに基づいて選択画像を表示する。
【００１８】
請求項１３記載の画像処理装置は、請求項１から１２のいずれかに記載の画像処理装置において、前記選択手段により選択された選択画像データを記憶する編集画像記憶手段と、その編集画像記憶手段に記憶された画像データを所定の出力先へ出力する出力手段とを備え、前記編集画像記憶手段は、前記選択手段により選択された選択画像データを既に記憶している場合は、先に記憶している選択画像データに連続して、次に前記選択手段により選択される選択画像データを記憶する。
【００１９】
請求項１４記載の画像処理プログラムは、複数のキーを備えたキー操作部と、矩形の表示画面と、画像データを記憶する記憶手段とを備えた画像処理装置により実行されるものであり、前記記憶手段に記憶されている画像データから所定量の画像データを抽出し、その抽出した画像データに基づいて抽出画像を前記表示画面に表示する抽出画像表示ステップと、前記矩形の表示画面における対向する２辺の一方側を上、他方側を下とした場合に、前記キー操作部からのキー入力に基づいて、前記抽出画像表示ステップにより表示されている抽出画像に対して範囲指定を行うために、その上端と下端とを指定する範囲指定ステップと、その範囲指定ステップにより指定された上端と下端とにより挟まれた範囲の画像データを選択画像データとして選択する選択ステップと、その選択ステップにより選択された前記選択画像データに基づく選択画像を前記抽出画像の表示よりも拡大し、前記表示画面に表示する拡大画像表示ステップとを備えている。
【発明の効果】
【００２０】
請求項１記載の画像処理装置によれば、キー操作部に備えられた操作キーを操作することにより、表示画面に表示された抽出画像に対して希望する範囲の上端と下端とを指定すると、その指定された上端と下端とにより挟まれた範囲画像データが選択画像として拡大されて表示される。
【００２１】
よって、マウスなどの画面における位置を指定する特別な装置を備えていない場合でも、簡単な構成で容易に表示されている画像の一部を選択することができる。さらに選択画像は抽象画像よりも拡大して表示されるので、抽出画像が縮小されて表示されている場合でも、選択された範囲を容易に確認することができるという効果がある。
【００２２】
特に、ファクシミリなどにより受信した画像データに基づく画像の多くは、選択する画像の上端と下端を決めることにより範囲を指定すれば、十分であり、横方向の範囲を指定する必要はない。このようにして範囲を特定することにより、受信した画像のうち、必要な部分だけを印刷することができ、印刷に要する時間を短縮するとともに、インクなどの印刷に要する材料の消耗を削減することができる。
【００２３】
請求項２記載の画像処理装置によれば、請求項１記載の画像処理装置の奏する効果に加え、表示画面は、矩形であって、抽出画像表示手段は、表示画面の長辺を分割した複数の領域の一の領域に抽出画像を表示し、拡大画像表示手段は、複数の領域の他の領域に選択画像を表示するので、ファクシミリ装置などの画像処理装置の前面などの細長いスペースに長方形の表示画面を配置し、その表示画面を有効に分割して、抽出画像と選択画像とを表示することができる。よって、装置全体を大きくする必要がなく、画像の選択作業を容易に行うことができるという効果がある。
【００２４】
請求項３記載の画像処理装置によれば、請求項１または２記載の画像処理装置の奏する効果に加え、表示画面に抽出画像表示手段により抽出画像を表示するとともに拡大画像表示手段により選択画像を表示する分割表示モードと、拡大画像表示手段により選択画像のみを表示する拡大表示モードとを切り替えるモード切替手段を備えているので、表示画面が小さく、分割した場合に視認が困難な場合であっても、拡大表示モードに切り替えることにより選択画像を表示画面全体に表示して確実に視認することができるという効果ある。
【００２５】
請求項４記載の画像処理装置によれば、請求項１から３のいずれかに記載の画像処理装置の奏する効果に加え、拡大画像表示手段は、範囲指定手段により範囲指定され、選択手段により選択された選択画像データに基づく選択画像の一方の幅が前記表示画面に表示される領域の一方の幅に一致するように拡大して表示するので、使用者が表示領域の表示幅に一致するように、拡大率を調整する必要がなく、使い勝手がよいとともに、表示画面の大きさに合致した拡大表示が行われ、容易に選択画像を視認することができるという効果がある。
【００２６】
請求項５記載の画像処理装置によれば、請求項１から３のいずれかに記載の画像処理装置の奏する効果に加え、拡大画像表示手段は、範囲指定手段により範囲指定され、選択手段により選択された選択画像データに基づく選択画像の一方の幅が表示画面に表示される表示領域の一方の幅に一致するように拡大した場合に、選択画像の他方の幅が表示領域の他方の幅より大きい場合は、選択画像の他方の幅を表示領域の他方の幅に一致するように拡大して表示するので、選択画像の全てを表示領域に表示することができるという効果がある。
【００２７】
請求項６記載の画像処理装置によれば、請求項１から４のいずれかに記載の画像処理装置の奏する効果に加え、拡大画像表示手段により拡大して表示された選択画像の一部が表示領域に表示されない場合は、選択画像をスクロールするスクロール手段を備えているので、拡大されることにより表示されない部分を、スクロールすることにより表示させることができ、選択された選択画像を確認することができるという効果がある。
【００２８】
請求項７記載の画像処理装置によれば、請求項１から６のいずれかに記載の画像処理装置の奏する効果に加え、範囲指定手段は、抽出画像表示手段により表示されている抽出画像において、範囲の上端が指定された場合は、表示画面に表示されている抽出画像の下端を範囲の下端とするので、領域を指定する操作が容易であるという効果がある。
【００２９】
請求項８記載の画像処理装置によれば、請求項１から７のいずれかに記載の画像処理装置の奏する効果に加え、範囲指定手段は、抽出画像表示手段により表示されている抽出画像において、範囲の下端が指定された場合は、表示画面に表示されている抽出画像の上端を範囲の上端とするので、領域を指定する操作が容易であるという効果がある。
【００３０】
請求項９記載の画像処理装置によれば、請求項１から８のいずれかに記載の画像処理装置の奏する効果に加え、拡大画像表示手段は、拡大表示されている選択画像において、上端、または、下端を再設定する再設定手段を備え、拡大画像手段は、再設定手段により再設定された上端、または下端により新たに挟まれた範囲の画像データに基づいて、選択画像を再表示するので、抽出画像が小さい場合であっても、拡大表示された選択画像において再度範囲を設定することができるので、領域を正確に指定する操作が容易であるという効果がある。
【００３１】
請求項１０記載の画像処理装置によれば、請求項１から９のいずれか記載の画像処理装置の奏する効果に加え、キー操作部は、抽出画像の上下方向の位置を指定するカーソルキーと、そのカーソルキーにより指定された位置を確定する決定キーとを備え、上端指定手段および下端指定手段は、決定キーが操作された場合にカーソルキーにより指定された位置を上端または下端とし、次にカーソルキーにより位置が変更されて決定キーが操作された場合に、先に設定された方とは異なる他方を設定するので、上端および下端をそれぞれ指定するキーと、確定するキーの３つのキーを備える必要なく、上端および下端を指定するキーと確定するキーの２つのキーを備えればよい。よって、構成が簡単になるという効果がある。
【００３２】
請求項１１記載の画像処理装置によれば、請求項１から１０のいずれか記載の画像処理装置の奏する効果に加え、キー操作部は、表示倍率を設定する表示倍率設定キーを備え、拡大画像表示手段は、表示倍率設定キーにより設定された表示倍率で選択画像を拡大して表示するので、ユーザが任意の大きさに拡大することができる。よって、ユーザが見やすい大きさで選択画像を表示することができる。
【００３３】
請求項１２記載の画像処理装置によれば、請求項１から１１のいずれかに記載の画像処理装置の奏する効果に加え、拡大画像表示手段は、既に選択画像データに基づく選択画像を表示部に表示している場合は、その表示している選択画像に連続して、次に範囲指定手段により範囲指定され、選択手段により選択された選択画像データに基づく選択画像を表示するので、複数の範囲が指定された場合に、その範囲に基づく複数の選択画像を一まとまりの画像として確認することができるという効果がある。
【００３４】
請求項１３記載の画像処理装置によれば、請求項１から１２のいずれかに記載の画像処理装置の奏する効果に加え、選択手段により選択された選択画像データを記憶する編集画像記憶手段と、その編集画像記憶手段に記憶された画像データを所定の出力先へ出力する出力手段とを備え、編集画像記憶手段は、選択手段により選択された選択画像データを既に記憶している場合は、先に記憶している選択画像データに連続して、次に選択手段により選択された選択画像データを記憶するので、出力手段に必要な部分の画像データだけを連続して出力できる。よって、記録媒体に印刷を行う場合などでは、少ない記録媒体に印刷することができ、経済的であるという効果がある。
【００３５】
請求項１４記載の画像処理プログラムによれば、キー操作部に備えられた操作キーを操作することにより、表示画面に表示された抽出画像に対して希望する範囲の上端と下端とを指定すると、その指定された上端と下端とにより挟まれた範囲の画像データが選択画像として拡大されて表示される。
【００３６】
よって、マウスなどの画面における位置を指定する特別な装置を備えていない場合でも、簡単な構成で容易に表示されている画像の一部を選択することができる。さらに選択された選択画像は抽象画像よりも拡大して表示されるので、抽出画像が縮小されて表示されている場合でも、選択された範囲を容易に確認することができるという効果がある。
【００３７】
特に、ファクシミリなどにより受信した画像データに基づく画像の多くは、選択する画像の上端と下端を決めることにより範囲を指定すれば、十分であり、横方向の範囲を指定する必要はない。このようにして範囲を特定することにより、受信した画像のうち、必要な部分だけを印刷することができ、印刷に要する時間を短縮するとともに、インクなどの印刷に要する材料の消耗を削減することができる。
【発明を実施するための最良の形態】
【００３８】
以下、本発明の好ましい第１の実施形態について、添付図面を参照して説明する。図１は、本発明の実施形態における多機能周辺装置（以下、「ＭＦＰ（Multi  Function  Peripheral）」と略す）１の外観構成を示す斜視図である。図１に示すように、本ＭＦＰ１は、下部に設けられたプリンタ部２と、上部に設けられたスキャナ部３と、スキャナ部３の正面側に設けられた操作パネル４とを一体的に備え、プリンタ機能、スキャナ機能、コピー機能及びファクシミリ機能を有する。
【００３９】
ＭＦＰ１は、不図示のコンピュータと接続されて、そのコンピュータから送信された画像データや文書データに基づいて、記録用紙(被記録媒体)に画像や文書を記録したり、デジタルカメラ等の外部機器と接続されてデジタルカメラから出力される画像データを記録用紙に記録したり、メモリカード等の各種記憶媒体を装填して、該記憶媒体に記憶された画像データ等を記録用紙に記録することが可能である。なお、言うまでもないが、本ＭＦＰ１は、記録用紙だけに限らず、ＯＨＰ用の透明フィルムシートや布など(いずれも被記録媒体の一例)にも画像を記録することが可能である。
【００４０】
スキャナ部３は、ＦＢＳ（Flatbed  Scanner）として機能する原稿読取台６に対して、自動原稿搬送機構（ＡＤＦ：Auto  Document  Feeder、以下「ＡＤＦ」という。）７を備えた原稿カバー８が、背面側の蝶番を支点として開閉自在に取り付けられている。
【００４１】
原稿読取台６の上面は大きく開口されており、その開口部にプラテンガラスが嵌め込まれ、原稿読取台６の内部には、上記画像読取ユニットの移動スペースや、画像読取ユニット或いはそれを支持する部材および駆動させる機構などを配設するスペースが確保されている。
【００４２】
ＡＤＦ７は、原稿トレイ９から原稿排出トレイ１０へ原稿搬送路を通じて原稿を搬送するものである。プリンタ部２は、スキャナ部３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ部２は、上述したように、スキャナ部３の下方に配設されている。  ＭＦＰ１の正面側、換言すれば、プリンタ部２の正面側には開口５が形成されている。この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。
【００４３】
ＭＦＰ１の正面側には、操作パネル４が設けられている。操作パネル４は、突出部１６の上方の空きスペースに適合するよう、図１に示すように横長形状に形成されている。換言すれば、操作パネル４は、その縦幅が、スキャナ部３の縦幅からプリンタ部２の縦幅を減じた長さ(空きスペースの縦幅)に収まる寸法に形成されている。操作パネル４は、プリンタ部２やスキャナ部３を操作するためのものであり、各種操作キー４０と液晶表示部（ＬＣＤ：Liquid  Crystal  Display）４１(以下、表示画面と称す)とを具備する。この表示画面４１は、縦横比が３：４の画面を横に２個並べ、縦横比が３：８のものである。
【００４４】
使用者は、操作パネル４を用いて、所望の指令を入力することができる。ＭＦＰ１に所定の指令が入力されると、その入力された情報に基づいて該ＭＦＰ１の動作が制御部２０によって制御される。操作パネル４に備えられる操作キー４０には、左右上下のいずれかを指定することができる十字キー４０ａと、主として操作の決定を指示する決定キー４０ｂと、主として処理の停止を指示するストップキー４０ｃと、表示画面の左側に０から９の数字を入力するテンキー４０ｄなどが備えられている。
【００４５】
なお、ＭＦＰ１は、操作パネル４から入力された指令のほか、コンピュータに接続されて該コンピュータからプリンタドライバやスキャナドライバ等を介して送信される指令に基づいて動作するようにシステム構成されている。
【００４６】
プリンタ部２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本ＭＦＰ１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって表示画面４１に表示される。或いは、選択された任意の画像がプリンタ部２において記録用紙に記録される。
【００４７】
次に、図２を参照してＭＦＰ１の電気的構成の概略について説明する。図２は、ＭＦＰ１の電気的構成を示すブロック図である。制御部２０は、プリンタ部２、スキャナ部３及び操作パネル４を含むＭＦＰ１の動作を統括的に制御するものである。制御部２０は、図２に示すように、ＣＰＵ（Central  Processing  Unit）２１、ＲＯＭ（Read  Only  Memory）２２、ＲＡＭ（Random  Access  Memory）２３、ＥＥＰＲＯＭ（Electrically  Erasable  and  Programmable  ROM）２４を主とするマイクロコンピュータとして構成されており、バス２５を介してＡＳＩＣ（Application  Specific  Integrated  Circuit）２６に接続されている。
【００４８】
ＲＯＭ２２には、ＦＡＸ機能、コピー機能、スキャナ機能、トリミング機能などをそれぞれ制御する各種制御プログラムや制御プログラムで用いられる定数やテーブルなどが記憶されている。画像を表示画面４１に表示する場合には、画像の表示形態や、倍率や表示画面４１における表示位置などを示す表示構成に基づいて表示され、ＲＯＭ２２に、複数の表示構成が記憶されている。表示構成については、後述する。
【００４９】
ＲＡＭ２３は、ランダムにアクセス可能なメモリであり、ＣＰＵ２１が各種機能を実行する際に、一次的に変数やパラメータを記憶するものである。このＲＡＭ２３には例えば、画像の編集を行う際の元の画像データを記憶する元画像メモリ２３ａと、編集プログラムを実行することにより編集された画像データが記憶される編集画像メモリ２３ｂとが備えられている。
【００５０】
ＲＯＭ２２に記憶される画像処理プログラムは、使用者の操作キー４０の操作に応じて、編集を行おうとする画像データ（元画像データ）をＲＡＭ２３に備えられた元画像メモリ２３ａに記憶するとともに、元画像データの一部あるいは全部を抜き出し、表示画面４１にその部分を表示し、さらに、使用者の操作キー４０の操作に応じて、表示されている元画像に対して範囲指定を行い、その範囲内の画像データをＲＡＭ２３に備えられる編集画像メモリ２３ｂに記憶するようにプログラムされている。
【００５１】
ＡＳＩＣ２６は、ＣＰＵ２１からの指令に従い、プリンタ部２、スキャナ部３、操作パネル４、及びスロット部７２の動作制御を行う。プリンタ部２、スキャナ部３及びスロット部７２は、詳細な説明は省略するが、制御部２０により、プリンタ部２を駆動するモータやインクジェット記録ヘッド、スキャナ部３を駆動するモータや画像読取ユニット等の動作が制御される。
【００５２】
ＡＳＩＣ２６には、ＭＦＰ１に所望の指令を入力する操作キー４０を制御するパネルゲートアレイ２７が接続されている。パネルゲートアレイ２７は、操作キー４０の押下を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００５３】
ＡＳＩＣ２６には、液晶表示部４１の画面表示を制御するＬＣＤコントローラ２８が接続されている。ＬＣＤコントローラ２８は、ＣＰＵ２１の指令に基づいて、液晶表示部４１にプリンタ部２又はスキャナ部３の動作に関する情報や、読取画像或いは入力画像を画面に表示させる。
【００５４】
ＣＰＵ２１は液晶表示部４１に表示させる表示画面を示す情報を図示しない表示メモリに記憶させる。表示メモリはＲＧＢ３原色にそれぞれ対応している。
【００５５】
液晶表示部４１は、ＲＧＢ３原色それぞれに対応した、図示しないマトリクススイッチを備えている。このマトリクススイッチに電荷が加えられることによりマトリクススイッチの直下の液晶分子が光を透過する方向に揃うため、ＲＧＢのいずれかの色が液晶表示部４１に表示されることとなる。このマトリクススイッチ一つ一つが、ＲＧＢそれぞれの１ドットに対応する。
【００５６】
また、表示メモリの１ビットはマトリクススイッチ一つに対応している。すなわち表示メモリ１ビットあたり、ＲＧＢいずれかの１ドットに対応していることになる。
【００５７】
ＬＣＤコントローラ２８は、図示しない表示メモリに記憶されたＲＧＢの値を一定周期で操作し、読み取っている。そして値が「１」であるビットに対応するマトリクススイッチに電圧を印加している。そのため、液晶表示部４１にはＣＰＵ２１が作成した情報に基づいた表示画面が表示されることになる。
【００５８】
また、ＡＳＩＣ２６には、コンピュータとパラレルケーブル又はＵＳＢケーブルを介してデータの送受信を行うためのパラレルインタフェース２９及びＵＳＢ端子７１が接続されている。さらに、ＡＳＩＣ２６には、ファクシミリ機能を実現するためのＮＣＵ
（Network  Control  Unit）３１やモデム３２が接続されている。
【００５９】
スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって液晶表示部４１に表示される。或いは、選択された任意の画像がプリンタ部２において記録用紙に記録される。
【００６０】
次に、図３を参照してトリミング処理において表示画面４１に表示される表示構成について説明する。図３は、液晶表示部４１の表示画面に表示される表示構成を示すものである。操作キーを適宜操作することにより、図３に示す（ａ）〜（ｆ）のいずれかの表示構成を設定することができる。
【００６１】
図３（ａ）は、表示構成１であり、矩形（長方形）の表示画面４１が、長辺を２つに分割する分割線（一点鎖線）で２つの領域に分割され、まず、左側のトリミング範囲指定領域に画像の１ページが表示される。この実施形態では、ファクシミリにより受信したデータの中から印刷する所望の部分だけを印刷する場合を例とし、図３（ａ）に示す例では、ファクシミリにより１０ページのイメージデータを受信し（編集すべき画像データとして、ＲＡＭ２３内の元画像メモリ２３ａに記憶されている）、その内の所定量としてページ単位で画像データを抽出し、（図３（ａ）では、３ページ目の画像データが抽出）、トリミング範囲指定領域に表示している。同図において、トリミング範囲指定領域に３ページ目が表示され、この３ページ目には、横書きで「１２３４５、６７８・・・」と記載されている。この３ページの長方形の表示の右側、下方には、「３／１０」と表示され、全１０ページのうち、３ページ目がこのトリミング範囲指定領域に表示されていることを示している。
【００６２】
このトリミング範囲指定領域に表示されたページにおいて、使用者は、操作キーを操作することによりトリミングを行う範囲の上端と下端とを任意に設定することができる。この図では、「１２３４５」という記載の上側の破線が上端であり、下側の破線が下端である。トリミング範囲が指定された場合は、指定された領域と、指定されていない領域の表示態様を変えて、トリミング範囲がわかりやすいように表示する。例えば、指定された範囲の背景を白とし、範囲が指定されいない部分を灰色の背景としたり、網掛けなどにより区別するようにしてもよい。
【００６３】
上端および下端が設定されると、その範囲内の画像が、トリミング範囲指定領域に表示される状態より拡大して、右側のトリミング範囲確認領域に表示される。以下、トリミング範囲指定領域に表示される画像を抽出画像と称し、トリミング範囲確認領域に表示されるトリミングされた画像を選択画像と称する。
【００６４】
図３（ｂ）は、表示構成２であり、選択画像のみを表示画面に表示した場合を示すものである。図３（ａ）に示す表示構成１では、分割された表示画面の一方に選択画像が表示されるため、拡大された画像の一部だけが表示される場合があるが、この（ｂ）の表示構成２では、表示画面全体で選択画像を表示するので、よりよく選択画像を確認することができる。
【００６５】
図３（ｃ）は、表示構成３であって、表示構成２の状態、すなわち選択画像のみを表示画面に表示した状態で、表示倍率を変更して再表示を行った場合を示している。表示倍率は、テンキー４０ｄなどの操作キーを操作することにより設定され、表示画面右下にその設定された表示倍率の値が表示される。この図では、３００％と表示されている。このように、拡大表示された場合は、選択画像を全て表示画面４１に表示することはできないが、十字キー４０ａを操作することにより、左右、上下にスクロールさせることができる。
【００６６】
図３（ｄ）は、表示構成４であり、トリミングにより選択画像が形成された場合に、すでにトリミングされた選択画像が存在する場合は、先に形成された選択画像に連続して今回の選択画像が表示される状態を示している。トリミング範囲確認領域に示すように、前回のトリミング処理により、「アイウ・・・」が指定され、今回のトリミング処理により「１２３・・・」がトリミング範囲と指定されて、前回指定された範囲に連続して表示される。なお、編集画像メモリ２３ｂには、トリミング範囲が確定された選択画像のデータが記憶されるが、先に選択画像が記憶されている場合には、その画像データに連続して記憶される。従って、編集画像メモリ２３ｂには、複数回のトリミング処理により指定された選択画像データが、連続して記憶され、この編集画像メモリ２３ｂに記憶した画像データに基づいて印刷を行うことができる。
【００６７】
よって、受信したファクシミリデータの中から必要な複数の部分を抜き出し、それらをまとめて印刷することができ、記録用紙を節約し、印刷に要する時間を削減することができる。
【００６８】
図３（ｅ）は、表示構成５であり、選択画像のみが表示画面に表示されている状態において、上端および下端を変更することができることを示す図である。図３（ｂ）に示すように表示されている場合に、下端を操作キー４０により指定し、さらにその位置を下方に変更してトリミング範囲を広くした結果、「１２３・・・」の下方に連続する「６７８・・」がトリミング範囲に含まれることになり、表示される。
【００６９】
図３（ｆ）は、表示構成６であり、トリミング範囲指定により指定された選択画像の縦方向の長さが長い場合には、表示画面の縦方向の幅に一致するように選択画像の拡大倍率を設定し、表示した例である。表示倍率は、トリミング範囲指定領域において、範囲が指定された場合は、予め決められた倍率で拡大されて、トリミング範囲確認領域に表示されるが、この場合は、選択画像の縦方向の長さが表示画面４１の縦方向の長さに収まるように表示倍率が設定される。
【００７０】
次に、図４〜図８に示すフローチャートを参照して、ＣＰＵ２１により実行される画像処理について説明する。ここでの画像処理は、元画像から使用者により指定された範囲の画像データを選択し、印刷等の出力を行う処理である。図４は、この画像処理の概略であるメイン処理を示すフローチャートである。まず、使用者は、編集を行う画像データ（元画像データ）を指定する。ファクシミリにより受信された画像データや、スロット部７２に装着されたカード型メモリに記憶されている画像データの中から選択することができる。
【００７１】
ＣＰＵ２１は、その選択された画像データをＲＡＭ２３の元画像メモリ２３ａに記憶する（Ｓ１）。ファクシミリで受信した画像データを編集する場合は、イメージデータを記憶するＥＥＰＲＯＭ２４からＲＡＭ２３に、画像データがスロット部７２に装着されたカード型メモリに記憶されている場合は、スロット部７２からＲＡＭ２３に転送される。
【００７２】
次に、これらの画像データは、記憶されている形式が異なるので、表示画面４１により表示を行う形式に変換する（Ｓ２）。次に、表示レイアウト情報（表示構成）を取得する（Ｓ３）。この表示レイアウト情報は、図３（ａ）に示すトリミング範囲指定領域に元画像を表示するための情報であり、抽象画像を表示する位置や、縮小する倍率など示すものであって、ＲＯＭ２２の所定の領域に記憶されている。
【００７３】
次に、この表示レイアウト情報に基づいて、抽象画像を表示画面４１のトリミング範囲指定領域に表示する情報を形成し（Ｓ４）、ＬＣＤコントローラ２８にその情報を送信する。ＬＣＤコントローラ２８は、この情報を受信すると、この情報に基づいて表示画面４１に表示する。図３（ａ）の例では、元画像メモリ２３ａに記憶された画像データが１０ページ分の画像データから成るので、その中から１ページ毎に画像データを抽出し、Ｓ４において、１ページ分の表示情報を形成し、表示画面４１に抽出画像として表示させている。従って、ページ変更の指示があれば、その指示に基づいて、別の１ページ分の画像データを抽出し、表示画面４１に切り替え表示することになる。
【００７４】
次に、トリミング範囲指定処理を行う（Ｓ５）。このトリミング範囲指定処理は、使用者により抽出画像から任意の範囲が選択される処理であり、詳細は図５および図６を参照して後述する。
【００７５】
トリミング範囲指定処理の次に、トリミング範囲指定処理において選択された画像データ（選択画像データ）は、ＲＡＭ２３の編集画像メモリ２３ｂに記憶されるので、その編集画像メモリ２３ｂから画像データを読出し（Ｓ６）、印刷データに変換し（Ｓ７）、プリンタ部２へ出力する。印刷データの変換では、カラー画像をデータがＲＧＢであれば、ＣＭＹＫへ変換し、印刷のドット毎に出力するデータに変換するハーフトーン処理などを行う。プリンタ部２は、この印刷データを入力し、所定の記録用紙に印刷を行う。
【００７６】
次に、図５を参照して、トリミング範囲指定処理について説明する。図５は、トリミング範囲指定処理を示すフローチャートである。このトリミング範囲指定処理では、使用者が十字キー４０ａや決定キー４０ｂやストップキー４０ｃを操作することにより範囲を指定したり表示構成を変えるように指示を行い、ＣＰＵ２１は、その操作を検出して、その操作に応じて表示画面４１の表示を変更するなどの処理を行う。
【００７７】
トリミング範囲指定処理では、まず、表示構成１により、表示を行う（Ｓ１０）。トリミング範囲の指定が行われていない最初の状態では、表示構成１のうち左側のトリミング範囲指定領域に元画像メモリ２３ａ内の画像データの１ページ目（抽出画像データに基づく画像）が表示され、右側のトリミング範囲確認領域には何も表示されず空白の状態である。
【００７８】
次に、決定キー４０ｂが操作されたか否かを判断する（Ｓ１１）。決定キー４０ｂが操作された場合は（Ｓ１１：Ｙｅｓ）、トリミングページを設定する状態となり、十字キー４０ａの四方のスイッチの内、上または下を指定する上下矢印キーが操作されたか否かを判断し（Ｓ１２）、上下矢印キーが操作された場合は（Ｓ１２：Ｙｅｓ）、上下矢印キーの操作に応じてページを変更して指定されたページをトリミング範囲指定領域に表示する（Ｓ１３）。十字キー４０ａにより「上」が指定された場合は、ページを戻し、「下」が指定された場合は、つぎのページを表示する。図３（ａ）に示す例では、この操作により１０ページ中の３ページ目が表示されている。
【００７９】
上下矢印キーが操作されない場合、または、ページが変更された場合は、ストップキー４０ｃが操作されたか否かを判断し（Ｓ１４）、ストップキー４０ｃが操作された場合は、Ｓ１０の処理に戻り、ストップキー４０ｃが操作されていない場合は（Ｓ１４：Ｎｏ）、決定キー４０ｂが操作されたか否かを判断する（Ｓ１５）。決定キー４０ｂが操作された場合は（Ｓ１５：Ｙｅｓ）、トリミング範囲確認処理を行い（Ｓ１６）、決定キー４０ｂが操作されていない場合は（Ｓ１５：Ｎｏ）、Ｓ１２の処理に戻る。トリミング範囲設定処理については、図６を参照して後述する。
【００８０】
一方、Ｓ１１の判断処理において、決定キー４０ｂが操作されていない場合は（Ｓ１１：Ｎｏ）、十字キー４０ａの左矢印キーが操作されたか否かを判断する（Ｓ１７）。左矢印キーが操作された場合は（Ｓ１７：Ｙｅｓ）、次に右矢印キーが操作されたか否かを判断し（Ｓ１８）、右矢印キーが操作された場合は（Ｓ１８：Ｙｅｓ）、Ｓ１０の処理に戻り、右矢印キーが操作されていない場合は（Ｓ１８：Ｎｏ）、次に、決定キー４０ｂが操作されたか否かを判断する（Ｓ１９）。
【００８１】
決定キー４０ｂが操作された場合は（Ｓ１９：Ｙｅｓ）、トリミング範囲確認処理を行い（Ｓ２０）、決定キー４０ｂが操作されていない場合は（Ｓ１９：Ｎｏ）、Ｓ１８の処理に戻る。トリミング範囲確認処理については、図７を参照して後述する。
【００８２】
次に、図６を参照して、Ｓ１６の処理であるトリミング範囲設定処理について説明する。図６は、トリミング範囲設定処理を示すフローチャートである。この処理は、トリミング範囲指定領域に表示された抽出画像において、トリミングを行う範囲を使用者が操作キー４０を操作することにより指定し、ＣＰＵ２１は、その操作を検出してトリミング範囲を決定する処理である。
【００８３】
まず、決定キー４０ｂが操作されたか否かを判断する（Ｓ２１）。決定キー４０ｂが操作された場合は（Ｓ２１：Ｙｅｓ）、トリミング範囲の上端を設定する状態となり、次に上下矢印キーのいずれかが操作されたか否かを判断する（Ｓ２２）。初期状態では、トリミング範囲の上端は、表示されているページの上端に設定されていて、上下矢印キーを操作することにより下方、または上方へ移動することができる（Ｓ２３）。上端の移動に伴い、上端を示す横方向の破線が上下に移動して表示される。上下矢印キーが操作されたのではない場合（Ｓ２２：Ｎｏ）、または上端が移動された場合は、次に決定キー４０ｂが操作されたか否かを判断する（Ｓ２４）。
【００８４】
決定キー４０ｂが操作された場合は（Ｓ２４：Ｙｅｓ）、上端の設定を終了したとして、Ｓ２１の処理に戻り、決定キー４０ｂが操作されていない場合は（Ｓ２４：Ｎｏ）、Ｓ２２の処理に戻る。
【００８５】
Ｓ２１の判断処理において、決定キー４０ｂが操作されていない場合は（Ｓ２１：Ｎｏ）、次に十字キー４０ａの下矢印キーが操作されたか否かを判断する（Ｓ２５）。下矢印キーが操作された場合は（Ｓ２５：Ｙｅｓ）、トリミング範囲の下端を設定する状態となり、次に上下矢印キーのいずれかが操作されたか否かを判断する（Ｓ２６）。
【００８６】
初期状態では、トリミング範囲の下端は、表示されているページの下端に設定されていて、上下矢印キーを操作することにより上方、または下方へ移動することができる（Ｓ２７）。下端の移動に伴い、下端を示す横方向の破線が上下に移動して表示される。上下矢印キーが操作されたのではない場合（Ｓ２６：Ｎｏ）、または下端が移動された場合は、次に決定キー４０ｂが操作されたか否かを判断する（Ｓ２８）。
【００８７】
決定キー４０ｂが操作された場合は（Ｓ２８：Ｙｅｓ）、下端の設定を終了したとして、Ｓ２１の処理に戻り、決定キー４０ｂが操作されていない場合は（Ｓ２８：Ｎｏ）、Ｓ２６の処理に戻る。
【００８８】
Ｓ２５の判断処理において、下矢印キーが操作されていない場合は（Ｓ２５：Ｎｏ）、次にストップキー４０ｃが操作されたか否かを判断し（Ｓ２９）、ストップキー４０ｃが操作されていない場合は（Ｓ２９：Ｎｏ）、Ｓ２１の処理に戻り、ストップキー４０ｃが操作された場合は（Ｓ２９：Ｙｅｓ）、このトリミング範囲設定処理を終了する。従って、図５に示すフローチャートが示すように、Ｓ１０の処理に戻る。
【００８９】
したがって、このトリミング範囲設定処理において、トリミング範囲の上端および下端を設定することができる。上端だけを設定した場合は、下端は、抽出されているページの下端に設定され、下端だけを設定した場合は、上端は、抽出されているページの上端に設定される。
【００９０】
上端および下端が設定され、Ｓ１０の処理に戻ると、設定された範囲、即ち上端と下端とに挟まれた部分が選択画像データとして選択され、所定の表示倍率で拡大されて、トリミング範囲確認領域に表示される。
【００９１】
次に、図７を参照して、図５に示すフローチャートのＳ２０の処理であるトリミング範囲確認処理について説明する。図７は、トリミング範囲確認処理を示すフローチャートである。このトリミング範囲確認処理では、トリミング範囲指定処理において、指定された選択画像を全画面表示などにより確認する処理を行う。
【００９２】
まず、十字キー４０ａの左右キーが操作されたか否かを判断し（Ｓ３１）、左右キーが操作された場合は（Ｓ３１：Ｙｅｓ）、表示画面４１に再描画を行う（Ｓ３２）。表示倍率や、上端、下端が後述するように再設定され、その再設定された状態に応じた再描画が行われる。
【００９３】
左右キーが操作されていない場合は（Ｓ３１：Ｎｏ）、または、Ｓ３２の処理を終了した場合は、次に、ストップキー４０ｃが操作されたか否かを判断する（Ｓ３３）。ストップキー４０ｃが操作された場合は（Ｓ３２：Ｙｅｓ）、このトリミング範囲確認処理からトリミング範囲指定処理の最初であるＳ１０の処理に戻り、ストップキー４０ｃが操作されていない場合は（Ｓ３２：Ｎｏ）、決定キー４０ｂが操作されたか否かを判断する（Ｓ３４）。
【００９４】
決定キー４０ｂが操作されていない場合は（Ｓ３４：Ｎｏ）、Ｓ３１の処理に戻り、決定キー４０ｂが操作された場合は（Ｓ３４：Ｙｅｓ）、トリミング範囲指定処理により選択された画像の縦横比が３対８より小さいか等しいかを判断する（Ｓ３５）。縦横比が３：８より小さいまたは等しい場合は、表示画面４１の縦横比が３：８であるので、選択画像の横幅を、表示画面４１の横幅に一致するように拡大し、表示構成２（図３（ｂ）参照）に示す全画面表示を行う（Ｓ３６）。
【００９５】
一方、選択画像の縦横比が３：８より大きい場合は、選択画像の横幅を表示画面４１の横幅に一致させると、選択画像の縦幅が、表示画面４１の縦幅より長くなって選択画像の全体を表示画面４１に表示できないので、この場合には、選択画像の縦幅が表示画面４１の縦幅に一致するように拡大し（Ｓ３６により表示される画像よりは、縮小されるので、縮小全画面表示と称す）表示構成６（図３（ｆ）参照）に示すように表示を行う（Ｓ３７）。
【００９６】
Ｓ３６またはＳ３７の処理により全画面表示を行い、次に、十字キー４０ａの上下左右キーのいずれかが操作されたか否かを判断する（Ｓ３８）。上下左右キーのいずれかが操作されていない場合は（Ｓ３８：Ｎｏ）、ストップキー４０ｃが操作されたか否かを判断する（Ｓ４０）。ストップキー４０ｃが操作された場合は（Ｓ４０：Ｙｅｓ）、Ｓ３１の処理に戻り、ストップキー４０ｃが操作されていない場合は（Ｓ４０：Ｎｏ）、決定キー４０ｂが操作されたか否かを判断する（Ｓ４１）。
【００９７】
決定キー４０ｂが操作されない場合は（Ｓ４１：Ｎｏ）、Ｓ３８の処理に戻り、決定キー４０ｂが操作された場合は（Ｓ４１：Ｙｅｓ）、現在設定されているトリミング範囲の画像データ（選択画像データ）を編集画像メモリ２３ｂに記憶する（Ｓ４２）。既に、編集画像メモリ２３ｂに前回指定された選択画像が記憶されている場合は、その選択画像データに連続して今回指定された選択画像のデータを記憶する。
【００９８】
次に、次ページがあるか否かを判断し、次ページがある場合は（Ｓ４３：Ｙｅｓ）、Ｓ１０の処理に戻り、次ページがない場合は（Ｓ４３：Ｎｏ）、トリミング範囲確認処理を終了してＳ６の処理（図４参照）に進む。
【００９９】
一方、Ｓ３８の判断処理において、上下左右キーのいずれかが操作された場合は（Ｓ３８：Ｙｅｓ）、全画面表示において、選択画面のスクロール、または表示倍率の変更を行うことができ、更に、上下左右キーのいずれかが操作されたか否かを判断する（Ｓ５１）。上下左右キーのいずれかが操作された場合は（Ｓ５１：Ｙｅｓ）、選択画像の全体が表示されていない部分を、キー操作に従って、スクロール表示を行う（Ｓ５２）。
【０１００】
上下左右キーのいずれかが操作されていない場合（Ｓ５１：Ｎｏ）、またはＳ５２の処理を終了した場合は、テンキー４０ｄにより表示倍率が設定されたか否かを判断し（Ｓ５４）、表示倍率が設定された場合は（Ｓ５４：Ｙｅｓ）、表示倍率を変更して表示構成３に示す再表示を行う（Ｓ５４）。表示倍率が設定されない場合は（Ｓ５４：Ｎｏ）、またはＳ５４の処理を終了した場合は、ストップキー４０ｃが操作されたか否かを判断する（Ｓ５５）。ストップキー４０ｃが操作された場合は（Ｓ５５：Ｙｅｓ）、Ｓ３８の処理に戻り、ストップキー４０ｃが操作されていない場合は（Ｓ５５：Ｎｏ）、Ｓ３８の処理に戻る。
【０１０１】
以上、第１実施形態について説明したように、元画像データメモリ２３ａから抽出された抽出画像データに基づく抽出画像を表示画面４１の左側のトリミング範囲指定領域に表示し、その抽出画像から使用者が任意のトリミング範囲を指定する。指定されたトリミング範囲内の画像データに基づく選択画像は、表示画面４１の右側のトリミング範囲確認領域に拡大表示される。トリミング範囲確認領域に表示された選択画像は、使用者の指示により、拡大したり、スクロールすることができる。よって、ファクシミリ装置などの画像処理装置において、簡単な操作で、トリミング処理を行うことができ、印刷など出力における記録用紙の削減および印刷に要する時間を節約することができる。
【０１０２】
次に、図８を参照して、第２の実施形態について説明する。図８は、第１の実施形態におけるトリミング範囲指定処理の変形例であり、トリミング範囲が指定されると、そのトリミング範囲内の画像データに基づく選択画像が、表示画面４１の全画面に表示される。なお、第１の実施形態と同一部分には、同一の符号を付し、その説明は省略する。
【０１０３】
第２の実施形態におけるトリミング範囲指定処理では、まず、表示構成５（図３（ｅ））を取得し、表示画面４１に画像を表示する（Ｓ６１）。編集を行う画像データが選択された初期状態では、第１ページが抽出され、その第１ページの上端をトリミング範囲の上端とし、第１ページの下端をトリミング範囲の下端として表示画面４１を分割せずに表示する。この場合は、トリミング範囲の上端が表示画面４１の上端に一致し、トリミング範囲の下端が表示画面４１の下端に一致するように表示する。
【０１０４】
次に、十字キー４０ａのうちの上下矢印キーが操作されたか否かを判断する（Ｓ６２）。上下矢印キーが操作された場合は（Ｓ６２：Ｙｅｓ）、ページを変更して表示を行う（Ｓ６３）。第１の実施形態と同様に、上矢印キーが操作された場合は、ページを戻し、下矢印キーが操作された場合は、ページを進め、変更されたページについては、そのページの上端をトリミング範囲の上端とし、そのページの下端をトリミング範囲の下端とする。
【０１０５】
上下矢印キーが操作されない場合（Ｓ６２：Ｎｏ）、または、Ｓ６３の処理を終了した場合は、次にストップキー４０ｃが操作されたか否かを判断する（Ｓ６４）。ストップキー４０ｃが操作された場合は（Ｓ６４：Ｙｅｓ）、Ｓ６１の処理に戻り、ストップキー４０ｃが操作されていない場合は、次に、決定キー４０ｂが操作されたか否かを判断する（Ｓ６５）。決定キー４０ｂが操作されていない場合は（Ｓ６５：Ｎｏ）、Ｓ６２の処理に戻り、決定キー４０ｂが操作された場合は（Ｓ６５：Ｙｅｓ）、ページが確定されたものとして、トリミング範囲を指定する処理に移行し、まずトリミング範囲の上端を指定する処理を行う。
【０１０６】
上下矢印キーが操作されたか否かを判断し（Ｓ６６）、上下矢印キーが操作された場合は（Ｓ６６：Ｙｅｓ）、トリミング範囲の上端を変更して上端から下端までを表示画面４１に表示する（Ｓ６７）。上下矢印キーが操作されていない場合（Ｓ６６：Ｎo）、または、Ｓ６７の処理を終了した場合は、次に、ストップキー４０ｃが操作されたか否かを判断する（Ｓ６８）。ストップキー４０ｃが操作された場合は（Ｓ６８：Ｙｅｓ）、Ｓ６１の処理に戻り、ストップキー４０ｃが操作されていない場合（Ｓ６８：Ｎｏ）は、決定キー４０ｂが操作されたか否かを判断する（Ｓ６９）。決定キー４０ｂが操作されていない場合は（Ｓ６９：Ｎｏ）、Ｓ６６の処理に戻り、決定キー４０ｂが操作された場合は（Ｓ６９：Ｙｅｓ）、トリミング範囲の上端が決定されたものとして、下端を指定する処理に移行する。
【０１０７】
下端を指定する処理では、まず上下矢印キーが操作されたか否かを判断し（Ｓ７０）、上下矢印キーが操作された場合は（Ｓ７０：Ｙｅｓ）、トリミング範囲の下端を変更して上端から下端までを表示画面４１に表示する（Ｓ７１）。上下矢印キーが操作されていない場合（Ｓ７０：Ｎo）、または、Ｓ７１の処理を終了した場合は、次に、ストップキー４０ｃが操作されたか否かを判断する（Ｓ７２）。ストップキー４０ｃが操作された場合は（Ｓ７２：Ｙｅｓ）、Ｓ６１の処理に戻り、ストップキー４０ｃが操作されていない場合（Ｓ７２：Ｎｏ）は、決定キー４０ｂが操作されたか否かを判断する（Ｓ７３）。決定キー４０ｂが操作されていない場合は（Ｓ７３：Ｎｏ）、Ｓ７０の処理に戻り、決定キー４０ｂが操作された場合は（Ｓ７３：Ｙｅｓ）、トリミング範囲の下端が決定されたものとして、トリミング範囲の確認処理に進む（Ｓ２０）。このトリミング範囲の確認処理は、図７に示す第１の実施形態の場合と同様であるので、その説明は省略する。
【０１０８】
以上、第２の実施形態について説明したように、第２の実施形態では、表示画面４１を分割せずに、トリミング範囲を指定し、先に上端を決定すると、次に下端を決定する。第１の実施形態と同様に、トリミング範囲の上端および下端は初期状態において、ページの上端および下端が設定されているので、上端を変更した状態で、決定キー４０ｂを２回操作すれば、下端は、ページの下端に設定されて、トリミング範囲確認処理に移行することができる。トリミング範囲の下端についても同様である。
【０１０９】
なお、請求項に記載の抽出画像表示手段および抽出画像表示ステップは、図５に記載のフローチャートのＳ１０およびＳ１３の処理が該当し、範囲指定手段および範囲指定ステップは、図５に記載のフローチャートのＳ１６の処理が該当し、拡大画像表示手段および拡大画像表示ステップは、図７に記載のフローチャートのＳ３６およびＳ３７の処理が該当し、モード切替手段は、図７に記載のフロ−チャートのＳ３４の処理が該当し、スクロール手段は、図７に記載のＳ５２の処理が該当する。
【０１１０】
以上実施形態に基づき本発明を説明したが、本発明は上記実施形態に何ら限定されるものでなく、本発明の趣旨を逸脱しない範囲内で種々の改良変形が可能であることは容易に推察できるものである。
【０１１１】
例えば、上記実施形態では、多機能周辺装置における処理について説明したが、プリンタや、ファクシミリ装置などの単機能の装置における処理としてもよい。
【０１１２】
また、上記実施形態では、ファクシミリ受信したデータについてトリミング処理を行うものとしたが、コンピュータなどから入力したデータなどに適用してもよい。
【０１１３】
また、第１の実施形態では、トリミング範囲確認処理において、選択画像が全画面表示され、さらに拡大し、スクロールを行うように構成したが、この全画面表示において、トリミング範囲の上端および下端を変更するようにしてもよい。
【０１１４】
また、上記実施形態では、トリミング処理した編集画像をプリンタ部２により印刷することにより出力するものとしたが、トリミング処理した編集画像をコンピュータに出力したり、ファクシミリ機能により送信するようにしてもよい。
【図面の簡単な説明】
【０１１５】
【図１】本発明の第１の実施形態における画像処理装置を有する多機能周辺装置の外観を示す斜視図である。
【図２】多機能周辺装置の電気的構成を示すブロック図である
【図３】複数の表示構成を示す画面図である。
【図４】メイン処理を示すフローチャートである。
【図５】トリミング範囲指定処理を示すフローチャートである。
【図６】トリミング範囲設定処理を示すフローチャ−トである。
【図７】トリミング範囲確認処理を示すフローチャートである。
【図８】第２の実施形態におけるトリミング範囲指定処理を示すフローチャートである。
【符号の説明】
【０１１６】
１              多機能周辺装置（ＭＦＰ）
２              プリンタ部（出力手段）
２１            ＣＰＵ
２２            ＲＯＭ
２３           
ＲＡＭ
２３ａ          元画像メモリ（記憶手段）
２３ｂ          編集画像メモリ（編集画像記憶手段）
４０            操作キー（キー操作部）
４０ａ          十字キー（カーソルキー）
４０ｂ          決定キー
４０ｄ          テンキー（表示倍率設定キー）
４１         
ＬＣＤ（表示画面）
【図１】
2007300379.tif 000003
【図２】
2007300379.tif 000004
【図３】
2007300379.tif 000005
【図４】
2007300379.tif 000006
【図５】
2007300379.tif 000007
【図６】
2007300379.tif 000008
【図７】
2007300379.tif 000009
【図８】
2007300379.tif 000010